(57)【特許請求の範囲】
【請求項１】
レール使用車両のためのレール構造体を製造する方法において、
ａ）４００ないし７００ｋｇ／ｍ３の密度を有する軽量コンクリートで路盤（５）を注型することと、
ｂ）縦方向に延び、各々が平行に離間された２つの側壁（４ａ，４ｂ）を有するコンクリートトラフ（４）を形成するために、トラフの予め製造された複数のセグメント（Ｓ）を前記路盤（５）上に載置することと、
ｃ）前記複数のセグメント（Ｓ）を一列に整列させることと、
ｄ）枕木（３）に固定されたレール（１，２）を、前記２つの側壁（４ａ，４ｂ）の間に配置することと、を具備することを特徴とする方法。
【請求項２】
前記複数のセグメント（Ｓ）を位置決めするために、および側方のずれに対し突合せ継ぎを保証するために、インサート（８）が、前記コンクリートトラフ（４）の底部（４ｃ）に形成された真中のスリット（９）に挿入されることを特徴とする請求項１に記載の方法。
【請求項３】
前記スロット（９）に挿入される前記インサート（８）は、横断面がＴ字形であることを特徴とする請求項２に記載の方法。
【請求項４】
前記コンクリートトラフ（４）は、１１００ないし１９００ｋｇ／ｍ３の密度を有することを特徴とする請求項１ないし３のいずれか１に記載の方法。
【請求項５】
前記レール（１，２）は、前記側壁（４ａ、４ｂ）から垂直方向に突出していることを特徴とする請求項１ないし４のいずれか１に記載の方法。
【請求項６】
少なくとも１つの中空管（６）が、前記路盤（５）に組み込まれていることを特徴とする請求項１ないし５のいずれか１に記載の方法。
【請求項７】
複数の壁部貫通孔（７）が、前記側壁（４ａ、４ｂ）に形成されていることを特徴とする請求項１ないし６のいずれか１に記載の方法。
【請求項８】
複数の管が、前記複数の壁部貫通孔（７）にそれぞれ挿入されていることを特徴とする請求項７に記載の方法。
【請求項９】
前記コンクリートトラフ（４）は、鉄筋で補強された発泡コンクリートからなることを特徴とする請求項１ないし８のいずれか１に記載の方法。
【請求項１０】
前記路盤（５）は、４５０ｋｇ／ｍ３の密度を有することを特徴とする請求項１ないし９のいずれか１に記載の方法。
【発明の詳細な説明】
【技術分野】
【０００１】
本発明は、枕木に固定されたレールが載っている道床を有する、レール使用車両、特に鉄道のためのレール構造体に関する。
【背景技術】
【０００２】
このレール構造体のために、まず、バラスト道床が形成される。このバラスト道床は、通常は、レールへの荷重に応じた、砕石の種々の大きさのある耐候性の硬岩（例えば玄武岩）からなる。枕木の下縁までの道床の標準的高さは３０ｃｍである。このバラスト道床の上には、コンクリート枕木または木製枕木に結合されたレールまたは軌道が載置されている。バラストを枕木の下に押し込むためには、バラスト突固め機が用いられる。これらのバラスト突固め機は、圧液による制御でバラストを枕木の下へ押し込むツルハシを有する。降水が流出することができ、レールが水中にないようにするために、バラスト道床のごみは、定期的に、掃除されねばならない。この目的のためには、バラストを取り上げ、篩いにかけ、次に、道床に戻さねばならない。それから、新たに突き固められなくてはならない。従って、レールの敷設およびレールの道床の保守は、時間およびコストがかかる。
【発明の開示】
【発明が解決しようとする課題】
【０００３】
この課題提示を前提として、冒頭に記載のレール構造体は、軌道の敷設が容易にかつ安価に可能であり、保守作業の時間が短縮されるまでに、改善されることが意図される。更に、レール構造体が出来る限り高いノイズの抑えを保証することが意図される。
【課題を解決するための手段】
【０００４】
課題を解決するために、前提部分に係わるレール構造体は、道床が、路盤に載っていて、縦方向に延びている側壁を有するコンクリートトラフからなること、およびこれらの側壁は、少なくとも枕木の長さで、互いに平行に間隔をあけていることを特徴とする。
【０００５】
この実施の形態によって、バラスト道床は完全に省略される。側壁が枕木の側方の保持を担う。軌道の敷設は著しく容易化される。何故ならば、軌道はコンクリートトラフにのみ挿入されればよいからである。突き固めは完全に省略される。時間の経過とともに集まるごみは、容易に吸い取られることができる。このことによって、保守作業は一層容易にかつ安価に実行されることができる。このレール構造体の場合、速く走行する列車の吸引作用によって、例えば葉っぱのような軽量の物体は、道床から自動的に除去されることが前提とされる。従って、更に、保守の間隔は一層延長される。摩耗したまたは損傷を受けたレール部分は、容易に交換されることができる。
【０００６】
路盤は、現場で、好ましくは軽量コンクリートから、特に発泡コンクリートから注型される。膨張継手は必ずしも必要というわけではない。コンクリートトラフが、鉄筋で補強された発泡コンクリートからなることは好ましい。発泡コンクリートは、英語諸国では、「cellular concrete」と呼ばれる。鉄筋で補強されたコンクリートトラフは、路盤に載置される。コンクリートトラフは、場合によっては、側方で地面に覆われてもよい。発泡コンクリートの使用によって、高い吸音値（Schalldaemmwerte）が達成される。このことによって、通過する列車によるノイズの発生が減少される。
【０００７】
路盤は、４００ないし６５０ｋｇ／ｍ３、特に好ましくは４５０ｋｇ／ｍ３の密度を有する。コンクリートトラフが、１１００ないし１９００ｋｇ／ｍ３、特に１５００ｋｇ／ｍ３の密度を有することは好ましい。
【０００８】
レールが側壁から垂直方向に突出しているとき、降水量が多い場合でも、線路面は自由に走行可能であり、車両の車輪は水溜りの中を通ることはないことが保証されている。
【０００９】
側壁の平行な間隔が枕木の長さに対応しているとき、軌道の嵌め込みの際に、自動的な位置決めがなされる。
【００１０】
雨水または雪解け水がレール構造体から即座に排出されることができるように、コンクリートトラフの側壁が、複数の壁部貫通孔を有することは好ましい。これらの壁部貫通孔に管が挿入されていることは特に好ましい。
【００１１】
供給管等を後で敷設するために、路盤には、少なくとも１つの中空管が組み込まれている。
【００１２】
コンクリートトラフが、現場で製造された路盤に載置されかつ互いに結合されることができる、予め製造された個々のセグメントからなることは特に好都合である。このことによって、レール構造体の製造は一層容易化され、建設時間も一層短縮される。更に、必要な場合には、個々のセグメントは容易に交換されることができる。このことによって、維持費が減じられる。
【００１３】
個々のセグメントを向き合って整列しかつ側方に固定することができるためには、各々のセグメントの底部は、両端で、真中のスリットまたはノッチを有する。好ましくは横断面がＴ字形に形成されているインサートがスリットまたはノッチに挿入されることができる。このインサートはセグメント同士の側方の移動を防止する。
【００１４】
レール使用車両、特に鉄道のためのレール構造体を製造する方法は、
以下の工程、すなわち、
ａ）４００ないし７００ｋｇ／ｍ３の（乾燥）密度を有する軽量コンクリート、特に発泡コンクリートから路盤を注型すること、
ｂ）縦方向に延びている側壁を有するコンクリートトラフを形成するために、トラフの予め製造された複数のセグメントを路盤に載置すること、
ｃ）トラフの複数のセグメントを向き合って整列すること、
ｄ）枕木に固定された軌道を側壁の間に嵌め込むこと、を有することを特徴とする。
【００１５】
セグメントを位置決めするために、および側方のずれに対し突合せ継ぎを保証するために、インサートを、トラフのセグメントの底部に形成された真中のスリットに挿入することは好ましい。
【００１６】
以下、図面を参照して、本発明の実施の形態を詳述する。
【発明を実施するための最良の形態】
【００１７】
レール構造体は、軽量コンクリートから、特に、例えばカナダのセマントリックス（CEMATRIX）社によって製造される発泡コンクリートから現場で注型される路盤５により構成される。注型のためには、通常の型枠が必要である。発泡コンクリートを現場で混合することができる。発泡のためには、気泡を形成する物質が（空気噴射と共に）用いられる。路盤５には、少なくとも１つの中空管（Leerrohr）６が組み込まれている。後で、この中空管に複数の供給管を通すことができる。路盤５は、僅かに上方に築かれた側壁５ａ，５ｂを有する。発泡コンクリートの使用は、道路建設では、普通である。発泡コンクリートは、良好な吸音性および高い断熱性を有することを特徴とする。
【００１８】
側壁５ａと５ｂとの間には、鉄筋コンクリートからなる、予め製造されたセグメントＳが挿入される。複数の並置されたセグメントＳは、底部４ｃと、垂直方向に向いた側壁４ａ，４ｂとを有するコンクリートトラフ（Betonwanne）４を形成する。セグメントＳの幅は、後者の側壁が路盤５の側壁５ａと５ｂとの間に正確に挿入されることができるように、選択されている。このことによって、コンクリートトラフ４の、側方のずれが防止される。セグメント（Ｓ）は５ないし１５ｍの長さで製造される。
【００１９】
各々のセグメントの側壁４ａ，４ｂには、複数の貫通孔７が設けられている。これらの貫通孔には、管が挿入されている。このことによって、トラフ４に集まる水が、外へ流出することができる。セグメントＳの両端は、底部４ｃの真中に設けられているノッチまたはスリット９を有する。このノッチ９には、横断面がＴ字形のインサート８が挿入されることができる。２つの当接するセグメントＳは、このインサート８によって、向き合って整列されかつ側方に固定される。このことによって、突合せ継ぎが保証されることができる。突合せ継ぎをより良く保証するために、図４Ａに示された、横断面が十字形のインサート８´を用いることができる。追加の脚部８´´は、路盤５に打ち込まれまたは挿入されることができる。
【００２０】
予め製造されたセグメントＳは、個々に互いに接続して、路盤５に載置される。コンクリート枕木または木製枕木３に固定された軌道１，２が、コンクリートトラフ４に嵌め込まれる。トラフ４の側壁４ａと４ｂの間の内法は、枕木３の長さＬに対応する。それ故に、コンクリートトラフ４は軌道１，２の側方支持を引き受ける。
【００２１】
図５から見て取れるように、トラフ４の側壁４ａ，４ｂは、枕木３の厚みよりも幾らか高く形成されている。それ故に、枕木はトラフに完全に潜っている。これに対し、枕木３に固定された軌道１，２はトラフ４を越えて突出している。トラフ４の側方には、路盤５を覆う地面１０が盛り土されている。
【００２２】
路盤５は、４００ないし７００ｋｇ／ｍ３の密度を有する、好ましくは補強されていない軽量コンクリートからなる。４５０ないし６５０ｋｇ／ｍ３の密度によって、良好な結果が生じた。トラフ４は、亜鉛メッキされた補強材および１１００ないし１９００ｋｇ／ｍ３の密度を有する鉄筋コンクリートからなる。この場合、良好な結果は、１５００ｋｇ／ｍ３の密度の場合に、達成される。
【図面の簡単な説明】
【００２３】
【図１】レール構造体の斜視図を示す。
【図２】レール構造体の平面図を示す。
【図３】図２の矢印ＩＩＩから見たコンクリートトラフの部分図を示す。
【図４】インサートの斜視図を示す。
【図４Ａ】他のインサートの斜視図を示す。
【図５】図２の線Ｖ−Ｖに沿った断面図を示す。
【符号の説明】
【００２４】
１  レール／軌道
２  レール／軌道
３  枕木
４  コンクリートトラフ／トラフ
４ａ  側壁
４ｂ  側壁
４ｃ  底部
５  路盤
５ａ  側壁
５ｂ  側壁
６  中空管
７  貫通孔
８  インサート
８´  インサート
８´´  脚部
９  スリット／ノッチ
１０  地面
Ｌ  枕木の長さ
Ｓ  セグメント。
【図１】
0004620044.tif 000002
【図２】
0004620044.tif 000003
【図３】
0004620044.tif 000004
【図４】
0004620044.tif 000005
【図４Ａ】
0004620044.tif 000006
【図５】
0004620044.tif 000007